(57)【要約】【課題】電子機器の角部分に衝撃が与えられた場合の耐衝撃性を、安価且つ確実に向上させる。【解決手段】鏡筒１０１を駆動するためのギヤ群を保護するギヤ群カバー２０６と、外装部材である中間カバー１１１との間にできた隙間に、メインフレーム２０１のフレーム壁２０１Ａをそのまま延ばす形態で延設部２０１ａを形成し、中間カバー１１１には、衝撃印加時の延設部２０１ａの変形動作で更に延びてくる延設部２０１ａの先端を受け止めるストッパ１１１ａを形成する。すなわち、電子的な構成を一切用いることなく、上記の延設部２０１ａとストッパ１１１ａを形成するという安価な機械的な構成だけで、電子機器の角部分に衝撃が与えられた場合の耐衝撃性を向上させるようにする。【選択図】図３
2011022383.tif 000002
【特許請求の範囲】
【請求項１】
内部構造体を保持するフレーム部材と、前記内部構造体および前記フレーム部材を覆う外装部材とを有する電子機器であって、
前記フレーム部材に、壁部と、前記壁部から前記電子機器の角部分を覆うように延出形成される延設部とを形成するとともに、前記外装部材に、前記電子機器の角部分に衝撃を与えた際、前記延設部の先端と当接するストッパ部を形成することを特徴とする電子機器。
【請求項２】
前記延設部の先端近傍に段差を形成することを形成することを特徴とする請求項１に記載の電子機器。
【請求項３】
前記延設部の先端に凹凸形状を形成することを特徴とする請求項１に記載の電子機器。
【請求項４】
前記延設部の先端に延設方向に切欠かれた切欠き部を形成することを特徴とする請求項１に記載の電子機器。
【請求項５】
前記ストッパ部は、前記外装部材の一部を切り起こして形成し、前記外装部材の前記ストッパ部を形成した部分に定格銘板を取り付けることを特徴とする請求項１ないし４のいずれか１項に記載の電子機器。
【発明の詳細な説明】
【技術分野】
【０００１】
本発明は、電子機器に関し、特に、耐衝撃性を向上させるための内部構造体の保持構造に関する。
【背景技術】
【０００２】
近年のデジタルカメラ等の電子機器は、携帯性等の観点から小型化が進んでいる。また、携帯型の電子機器は、落下による衝撃等、機器が使用不能になってしまう程、大きな衝撃が与えられる危険性が高く、耐衝撃性の向上が強く要望される。
【０００３】
この要望に応えるために、一般的には、外装部材や内部構造体を保持する筺体（フレーム）の素材を強度の弱い樹脂から強度の強い金属に変更する手法が採られている。
【０００４】
外装部材の素材を変更する手法以外の耐衝撃性の向上策としては、撮像装置のレンズフレームとメインフレームの間にクッション材を介在させる技術が提案されている（特許文献１参照）。また、撮像装置の外装部材としての化粧板と、外装本体との間に弾性部材（クッション材）を設ける技術も提案されている（特許文献２）。
【先行技術文献】
【特許文献】
【０００５】
【特許文献１】特開２００７−２１２６４１号公報
【特許文献２】特開２００８−１７８００３号公報
【発明の概要】
【発明が解決しようとする課題】
【０００６】
しかしながら、特許文献１，２は、撮像装置の正面又は背面の方向からの衝撃を主として想定したものであり、撮像装置の角部分に落下衝撃が与えられた場合には、撮像装置を十分に保護することができない惧れがある。
【０００７】
また、外装やメインフレームを金属部材で構成した場合であっても、メインフレームのフレーム壁部は４つの角部分の全てにおいて連続しているとは限らず、フレーム壁が途切れた角部分が存在する場合もある。この場合には、メインフレームと内部構造体との間に隙間ができてしまう。
【０００８】
例えば、図６に示す例では、メインフレームのフレーム壁１２０１Ａは、角部分で途切れている。そのため、前カバーと後カバー（図示省略）の間の外装部材としての中間カバー１２０６と、モータで駆動される鏡筒のギヤ群を保護する保護カバー１２０６との間の角の部分には、比較的大きな隙間領域Ｅが形成されてしまう。
【０００９】
このため、隙間領域Ｅとなっている角部分に対して、例えば矢印Ｓの方向に落下等の強い衝撃が与えられた場合は、衝撃が与えられた角部分が陥没する、角部分の外装部材が破れて内部構造体が外部に露出したり、破損したりすること等が危惧されていた。
【００１０】
なお、電子機器の角部分は、他の平らな部分に比べて、同一の衝撃エネルギーが与えられた場合でも、その衝撃エネルギーを受け止める部分の面積が小さいため、損傷の程度が大きくなるので、耐衝撃性の向上がより強く要望される。
【００１１】
本発明は、このような従来技術の背景の下になされたもので、その目的は、電子機器の角部分に衝撃が与えられた場合の耐衝撃性を、安価且つ確実に向上させることにある。
【課題を解決するための手段】
【００１２】
上記目的を達成するため、本発明は、内部構造体を保持するフレーム部材と、前記内部構造体および前記フレーム部材を覆う外装部材とを有する電子機器であって、前記フレーム部材に、壁部と、前記壁部から前記電子機器の角部分を覆うように延出形成される延設部とを形成するとともに、前記外装部材に、前記電子機器の角部分に衝撃を与えた際、前記延設部の先端と当接するストッパ部を形成することを特徴とする。
【発明の効果】
【００１３】
本発明によれば、電子機器の角部分に衝撃が与えられた場合の耐衝撃性を、安価且つ確実に向上させることが可能となる。
【図面の簡単な説明】
【００１４】
【図１】（Ａ）は本発明を適用したデジタルカメラの正面図である。（Ｂ）は上記デジタルカメラの背面図である。
【図２】上記デジタルカメラの分解斜視図である。
【図３】（Ａ）は上記デジタルカメラの内部構造体の正面図である。（Ｂ）は図３（Ａ）の二点鎖線で囲った部分に相当する部分の詳細図である（第１の実施の形態）。
【図４】（Ａ）は上記デジタルカメラのメインフレームの斜視図である（第２の実施の形態）。（Ｂ）は図４（Ａ）の二点鎖線で囲った部分の詳細図である第２の実施の形態）。
【図５】図３（Ａ）の二点鎖線で囲った部分の詳細図である（第３の実施の形態）。
【図６】従来の問題点を説明するための図である。
【発明を実施するための形態】
【００１５】
以下、本発明を実施するための形態を図面に基づいて説明する。
【００１６】
［第１の実施の形態］
図１（Ａ）、図１（Ｂ）に示したデジタルカメラ１００において、１０１は鏡筒、１０２は前カバー、１０３は閃光窓、１０４はＡＦ補助光窓、１０５は後カバー、１０６は表示パネル、１１１は中間カバー、１１２は上カバーである。前カバー１０２、後カバー１０５、中間カバー１１１、及び上カバー１１２は、外装部材であり、樹脂製ではなく、樹脂よりも強度の強い金属製となっている。
【００１７】
鏡筒１０１には、フォーカスレンズ、ズームレンズ等の撮影光学系のデバイスが収納されている。閃光窓１０３は、本露光時にストロボ光等の閃光を被写体に向けて照射するために設けられ、ＡＦ補助光窓１０４は、オートフォーカス制御の際にＡＦ補助光を被写体に向けて照射するために設けられている。表示パネル１０６には、撮影画像、再生画像の他、撮影条件などの各種情報も表示される。
【００１８】
１０７はレリーズボタンであり、第１段の押下ストロークでＯＮする第１スイッチと、第２段の押下ストロークでＯＮする第２スイッチとに連結されている。第１スイッチのＯＮで測光、フォーカス制御等の撮影準備動作が行われ、第２スイッチのＯＮで本露光による撮影が実行される。１０８はズームレバーであり、倍率を調節するために利用される。このズームレバー１０８は、レリーズボタン１０７を中心にして回動可能となっている。
【００１９】
図２は、デジタルカメラ１００の分解斜視図である。図２に示すように、デジタルカメラ１００のフレーム部材であるメインフレーム２０１に対し、鏡筒１０１、電池収納部２０２、プリント基板２０３、ストロボ発光装置２０４、表示パネル１０６等の主要な内部構造体が取り付けられる。
【００２０】
なお、メインフレーム２０１には、本デジタルカメラ１００を三脚台に固定するための三脚固定部材２０７も取り付けられる。また、メインフレーム２０１の素材は、樹脂部材よりも強度の強い金属部材となっている。
【００２１】
鏡筒１０１には、ギヤ群（図示省略）を介して駆動モータ２０５が連結され、この駆動モータ２０５により、フォーカス制御、及びズーム制御のための光軸方向への鏡筒１０１の駆動が行われる。また、駆動モータ２０５の駆動力を鏡筒１０１に伝達するためのギヤ群は、ギヤ群保護カバー２０６により覆われている。
【００２２】
プリント基板２０３には、ＣＰＵ等の主要な電気部品が実装されている。このプリント基板２０３は、電池収納部２０２により保持されている。
【００２３】
メインフレーム２０１は、鏡筒１０１等の内部構造体が取り付けられた状態で、金属製の外装部材としての前カバー１０２、後カバー１０５、中間カバー１１１、及び上カバー１１２により覆われる。これら外装部材は、フッキング等の手法で相互に連結されると共に、金属製のメインフレーム２０１に対して螺子により締結される。
【００２４】
メインフレーム２０１のフレーム壁部２０１Ａには、ギヤ群保護カバー２０６の近傍において、フレーム壁部２０１Ａから延出形成された後述する延設部２０１ａが設けられている。また、中間カバー１１１には、延設部２０１ａの近傍に、後述するストッパ部としてのストッパ１１１ａが形成されている。
【００２５】
図３（Ａ）はデジタルカメラ１００の内部構造体の正面図、図３（Ｂ）は図３（Ａ）の二点鎖線で囲った部分に相当する部分の詳細図である。なお、図３（Ａ）の二点鎖線で囲った部分は、厳密には、図５に対応している。
【００２６】
図３（Ａ），図３（Ｂ）に示すように、メインフレーム２０１のフレーム壁部２０１Ａが延設された延設部２０１ａは、中間カバー１１１と鏡筒ギヤ群の保護カバー２０６との間の間隙に、中間カバー１１１の角部分に沿うように延設されている。
【００２７】
上記のストッパ１１１ａは、フレーム壁部２０１Ａの延設部２０１ａの先端２０１ａａの近傍に、中間カバー１１１の底面から略垂直に立設されている。すなわち、延設部２０１ａの先端２０１ａａは、衝撃が与えられない通常の状態では、ストッパ１１１ａに接触しておらず、自由端となっている。
【００２８】
従って、図３（Ｂ）に示した矢印Ｓの方向に落下衝撃が与えられ、その衝撃エネルギーが中間カバー１１１を介して延設部２０１ａに伝播した場合、延設部２０１ａは、自由端である先端２０１ａａの方向に更に延びていく形態で変形し、衝撃エネルギーが吸収される。その後、延設部２０１ａの先端２０１ａａは、ストッパ１１１ａに当接する。
【００２９】
そして、延設部２０１ａの先端２０１ａａがストッパ１１１ａに当接した後は、延設部２０１ａは、その根元２０１ａｂ（図４（Ｂ）参照）と先端２０１ａａを支点とした梁の如く作用するので、更なる変形動作が停止される。すなわち、ストッパ１１１ａは、衝撃印加時の延設部２０１ａの変形動作を停止させる停止部材として機能する。
【００３０】
このように、落下衝撃等の大きな衝撃が与えられたとしても、延設部２０１ａは、変形することで衝撃エネルギーを吸収した後、その変形動作がストッパ１１１ａにより停止されるので、鏡筒１０１等の内部構造体が損傷を受けることはない。また、外装部材である中間カバー１１１の変形を抑制することも可能となる。
【００３１】
なお、ストッパ１１１ａは、中間カバー１１１の一部を切り起こして形成される。すなわち、中間カバー１１１の底面に「コ」の字状の切込みを入れ、切込みに囲まれる部分をデジタルカメラ１００の内側に折り曲げることで形成されたものであり、中間カバー１１１と異なる別体の素材で形成したものではない。
【００３２】
このように、ストッパ１１１ａを中間カバー１１１とは別体の素材で形成することなく、中間カバー１１１を加工することによって形成することで、部品点数を増加させることがない。
【００３３】
また、ストッパ１１１ａを形成することで中間カバー１１１に開けられた孔は、インナープレート２０９、及び定格銘板２０８で塞がれている。従って、上記の孔から塵埃が侵入することはなく、内部構造体が塵埃で損傷することはない。
【００３４】
なお、中間カバー１１１の定格銘板２０８を装着する部分は、半抜き加工等で形成される凹部となっている。これにより、定格銘板２０８を装着した場合でも外装部材である中間カバー１１１の外表面の面高さが一定になり、面高さの連続性が維持されるので、デジタルカメラ外観の美感が損なわれることはない。
【００３５】
また、インナープレート２０９は、金属製のプレートにより構成され、溶接等により中間カバー１１１に固着されている。これにより、ストッパ１１１ａを形成することで中間カバー１１１に開けられた孔は、強固な部材で塞がれることとなるので、孔の部分に細い物体が激突したとしても破れることはなく、内部構造体が保護される。また、インナープレート２０９を設けることにより、定格銘板２０８が窪むことを防止することができる。
【００３６】
さらに、フレーム壁部２０１Ａの延設部２０１ａは、フレーム２０１の内側の方向に段差２０１１が形成される形態でフレーム壁部２０１Ａの部材をそのまま延設した状態となっている。この段差２０１１は、角部分が曲面となっている中間カバー１１１の稜線に延設部２０１ａの曲面が近接できるようにすべく、延設部２０１ａの曲面の位置をデジタルカメラ１００の内奥方向にシフトするために形成したものである。
【００３７】
また、フレーム壁部２０１Ａの延設部２０１ａの先端近傍には、デジタルカメラ１００の外周方向に向かう段差２０１２が形成されている。この段差２０１２は、例えば図３（Ｂ）に示した矢印Ｓの方向から衝撃が与えられたような場合に、中間カバー１１１に形成されたストッパ１１１ａの根元の部分に延設部２０１ａの先端を衝突させるために形成されたものである。これは、ストッパ１１１ａの根元の部分に延設部２０１ａの先端を衝突させることで、ストッパ１１１ａの耐衝撃性、すなわち、停止力を高めることを意図したものである。
【００３８】
このように、第１の実施の形態では、鏡筒１０１を駆動するためのギヤ群を保護するギヤ群カバー２０６と、外装部材である中間カバー１１１との間にできた隙間に、メインフレーム２０１のフレーム壁部２０１Ａをそのまま延ばす形態で延設部２０１ａを形成した。一方、中間カバー１１１には、衝撃印加時の延設部２０１ａの変形動作で更に延びてくる延設部２０１ａの先端を受け止めるストッパ１１１ａを、中間カバー１１１を加工することで形成した。
【００３９】
すなわち、第１の実施の形態では、電子的な構成を一切用いることなく、上記の延設部２０１ａとストッパ１１１ａを形成するという安価な機械的な構成だけで、電子機器の角部分に衝撃が与えられた場合の耐衝撃性を確実に向上させている。このことは、後述する第２、第３の実施の形態についても同様に言える。
【００４０】
［第２の実施の形態］
第１の実施の形態では、延設部２０１ａの先端の断面形状は、平板状であることを想定していた。これに対し、第２の実施の形態では、延設部２０１ａの先端の断面形状は凹凸状となっている。
【００４１】
すなわち、図４（Ａ）、図４（Ｂ）に示すように、メインフレーム２０１の延設部２０１ａの先端の断面は、絞り加工等により形成された凹凸形状２０１ａｃとなっている。この凹凸形状２０１ａｃは、延設部２０１ａの先端部の横幅方向の中央位置で、メインフレーム２０１の外側に凸部が形成された状態となっている。
【００４２】
従って、衝撃が与えられる際には、ストッパ１１１ａの根元の部分に延設部２０１ａの先端が衝突することとなり、ストッパ１１１ａの耐衝撃性、すなわち、停止力が向上する。すなわち、先端を凹凸形状とすると、断面が平板状の場合と比較して相対的に高い剛性が確保できる。従って衝撃を与えられて、凹凸形状２０１ａｃがストッパ１１１ａに接触したとしても、延設部２０１ａ先端部の座屈(変形)を低減できる。
【００４３】
［第３の実施の形態］
第２の実施の形態では、フレーム壁部２０１Ａとは別体として延設部２０１ａを形成するのではなく、フレーム壁部２０１Ａをそのまま延ばす形態で延設部２０１ａを形成していた。
【００４４】
これに対し、第３の実施の形態では、図５に示すように、フレーム壁部２０１Ａとは別体の金属製のインナープレート２１０をフレーム壁部２０１Ａの内側に溶接等で固着する形態で、フレーム壁部を延設している。
【００４５】
また、インナープレート２１０の金属素材として弾性体を用いることで、衝撃を与えられたときのインナープレート２１０の変形動作を容易にし、衝撃エネルギーの吸収力を高めて、外装部材である中間カバー１１１の塑性変形を可及的に抑制している。
【００４６】
さらに、インナープレート２１０の先端部には、インナープレート２１０の延設方向に切り欠かれた切欠き部２１０ａが形成されている。この切欠き部２１０ａを形成した場合、衝撃が与えられることでインナープレート２１０が変形するときは、ストッパ１１１ａが切欠き部２１０ａに嵌り込む。従って、インナープレート２１０がストッパ１１１ａに激突する際に横すべりを引き起こすことを防止できる。
【００４７】
なお、本発明は、上記の第１〜第３の実施の形態に限定されることなく、これら実施の形態を種々の形態で組み合わせることができる。
【００４８】
また、電子機器の角部分でフレーム壁部が途切れることなく連続している場合に、図５のような金属弾性体のインナープレートをフレーム壁部の内側に固着すると共に、外装部材にストッパを形成することで、安価、且つ確実に耐衝撃性を高めることも可能である。
【００４９】
この場合、インナープレートが固着されたフレーム壁部は、インナープレートと対応する部分で、フレーム壁部の高さが低くなる形態でインナープレートの先端の方向に連続するようにするのが望ましい。すなわち、図５ではインナープレート２１０の側面が削り取られた形態で細くなっているが、この削り取られた部分をフレーム壁部とするのである。
【００５０】
また、本発明は、デジタルカメラ以外の撮像装置、更には、撮像装置以外の例えば携帯型の電子機器（携帯型電話機、携帯型音楽プレーヤ、携帯型情報端末など）に適用することも可能である。
【符号の説明】
【００５１】
１０１…鏡筒
１１１…中間カバー
１１１ａ…ストッパ
２０１…メインフレーム
２０１Ａ…メインフレームの壁部
２０１ａ…延設部
２０１ａｃ…凹凸形状
２０８…定格銘板
２１０…インナープレート
２０１１，２０１２…段差
【図１】
2011022383.tif 000003
【図２】
2011022383.tif 000004
【図３】
2011022383.tif 000005
【図４】
2011022383.tif 000006
【図５】
2011022383.tif 000007
【図６】
2011022383.tif 000008